(57)【特許請求の範囲】
【請求項１】
愛玩動物に餌及び飲み水を与えるために、二つの容器を台本体に並べて乗せた愛玩動物用給餌台において、前記二つの容器の間における前記台本体上に衝立を立設し、前記衝立は、前記台本体からはみ出す程度の幅を持つことを特徴とする愛玩動物用給餌台。
【発明の詳細な説明】
【技術分野】
【０００１】
本発明は、愛玩動物（猫や犬などのペット）に、餌や飲み水を与えるための愛玩動物用給餌台に関する。
【背景技術】
【０００２】
一般に市販されている愛玩動物用給餌台（容器台、食器台）の一例を図５に示す。
図５に示すように、愛玩動物１０に、餌や飲み水を与えるための愛玩動物用給餌台２０は、二つの容器３０，４０を台本体５０に並べて乗せるのが一般的である。
【０００３】
容器３０，４０としては、一定の深さを持つ皿（ボウル）が使用され、一方の容器３０には、ペットフードなどの餌を入れ、他方の容器４０には飲み水を入れるのである。
台本体５０は、愛玩動物１０が頭を下げた状態で無理なく餌を食べられ、水が飲めるように、愛玩動物１０の背丈に合わせて一定の高さを有するものが多い。お盆状のものなど、高さのないものもある。
【０００４】
特許文献１には、餌の早食いを防止するため、仕切り壁部によって仕切られた領域に口をもっていかなければ餌を食べられないペット用食器が記載されている。特許文献１には、餌と飲み水との混入に関する記載はない。
【先行技術文献】
【特許文献】
【０００５】
【特許文献１】特開２０１５−２１３４３６号公報
【発明の概要】
【発明が解決しようとする課題】
【０００６】
しかしながら、図５に示す愛玩動物用給餌台２０では、台本体５０上で二つの容器３０，４０が隣り合っているため、食事中の愛玩動物１０の動きや食べ方で、一方の容器３０に入っていたペットフードなどの餌が隣の他方の容器４０に入ってしまうことも多く、容器４０内の飲み水を汚すことにもなっていた。
【０００７】
例えば、食事中の愛玩動物１０が二つの容器３０，４０の間で最短で頭を移動させようとすると、口の中に残っているフードや水が隣の容器３０，４０に落ちる可能性が高い。
また、食事中の愛玩動物１０が容器３０，４０に入っていたフードを噛み砕いて食べながら、或いは飲み水を飲みながら、頭を振ると、口の中のフードや水が飛び散って隣の容器３０，４０に混入し、容器３０，４０中の餌や飲み水を不衛生にすることがあった。
【０００８】
そこで、本発明は、二つの容器の間に衝立を設けることにより、ペットフードが水の容器に混入し、水がペットフードの容器に混入するのを防止することが可能な愛玩動物用給餌台を提供することを目的とする。
【課題を解決するための手段】
【０００９】
上記課題を解決する本発明の請求項１に係る愛玩動物用給餌台は、愛玩動物に餌及び飲み水を与えるために、二つの容器を台本体に並べて乗せた愛玩動物用給餌台において、前記二つの容器の間における前記台本体上に衝立を立設したことを特徴とする。
【００１０】
上記課題を解決する本発明の請求項２に係る愛玩動物用給餌台は、請求項１記載の愛玩動物用給餌台において、前記衝立は、食事中の前記愛玩動物が頭を下げた状態では当該頭を通過させない程度の高さを有することを特徴とする。
【００１１】
上記課題を解決する本発明の請求項３に係る愛玩動物用給餌台は、請求項１記載の愛玩動物用給餌台において、前記衝立は、前記台本体からはみ出す程度の幅を持つことを特徴とする。
【発明の効果】
【００１２】
本発明においては、二つの容器の間における台本体上に衝立を立設したため、食事中の愛玩動物が餌を噛み砕いて食べる際、又は、飲み水を飲む際に、頭を振って飛び散る餌や飲み水が隣の容器に混入するのが衝立により防止されるという効果を奏する。飲み水に餌が混入するのを防ぐことで、飲み水を清潔に保つことができ、また、餌に飲み水が混入するのを防ぐことで、乾燥した餌が湿気るのを防ぎ、衛生的に管理できる。
【００１３】
また、衝立は、食事中の愛玩動物が頭を下げた状態では頭を通過させない程度の高さを有することが望ましい。そうすると、愛玩動物が餌を食べた後、又は、飲み水を飲んだ後に、頭部を下げたまま隣の容器に移動することができず、衝立を回避するために、身体を一旦起こしてから移動することになる。衝立がない場合には、二つの容器の上を最短で移動するので、口の中に残っている餌や飲み水が隣の容器に落ちる可能性が高いのに比較し、本発明では、二つの容器の間に衝立があるため、愛玩動物が一旦身体を起こして移動することとなり、隣の容器に口の中から餌や飲み水が落ちる可能性が低くなるという効果を奏する。
【００１４】
更に、衝立は、台本体からはみ出す程度に幅をすることもできる。このようにすると、愛玩動物が頭部を一方の容器から他方の容器へ移動させるのに多くの時間がかかることとなり、餌や飲み水の混入をより一層防ぐことができるという効果を奏する。
【図面の簡単な説明】
【００１５】
【図１】本発明の実施例１に係る愛玩動物用給餌台を示す斜視図である。
【図２】本発明の実施例１に係る愛玩動物用給餌台の使用状態を示す側面図であり、図２（ａ）は移動前、図２（ｂ）は移動中、図２（ｃ）は移動後に係る。
【図３】本発明の実施例１に係る愛玩動物用給餌台の使用状態を示す上面図であり、図３（ａ）は移動前、図３（ｂ）は移動中、図３（ｃ）は移動後に係る。
【図４】本発明の実施例２に係る愛玩動物用給餌台を示す斜視図である。
【図５】一般に市販されている愛玩動物用給餌台を示す斜視図である。
【発明を実施するための形態】
【００１６】
以下に、本発明については、実施例を参照して詳細に説明する。
【実施例１】
【００１７】
本発明の実施例１に係る愛玩動物用給餌台を図１に示す。
図１に示すように、本実施例の愛玩動物用給餌台２においては、台本体５上に二つの容器３，４が並べて乗せられている。二つの容器３，４としては、一定の深さを持つ皿（ボウル）が使用され、ペットフードなどの餌や飲み水が入れられる。
【００１８】
台本体５は、図１に示すように、二つの容器３，４を乗せるためのお盆状のものである。なお、図２に示すように、二つの容器３，４を乗せるためのお盆状の天板の四隅に、愛玩動物１が頭を下げた状態で無理なく餌を食べられ、水が飲めるように、愛玩動物１の背丈に合わせた高さを有する４本の脚部を設けたものとすることもできる。
更に、二つの容器３，４の間における台本体５、即ち、天板５１の中央には、衝立６が立設されている。
【００１９】
衝立６は、食事中の愛玩動物１が餌を噛み砕いて食べる際、又は、飲み水を飲む際に、頭を振って飛び散る餌や飲み水が隣の容器３，４に混入するのを防止する役割を持つ。
このように、衝立６により飲み水に餌が混入するのを防ぐことで、飲み水を清潔に保つことができ、また、衝立６により餌に飲み水が混入するのを防ぐことで、乾燥した餌が湿気るのを防ぎ、衛生的に管理できる。
【００２０】
特に、図２に示すように、衝立６は、食事中の愛玩動物１が頭を下げた状態では頭を通過させない程度の高さを有することが望ましい。衝立６の幅は台本体５と同程度である。
そうすると、図２（ａ）に示すように、食事中の愛玩動物１が頭を下げた状態（図中奥側）で一方の容器３，４から餌を食べ、又は、飲み水を飲み、その後、頭部を下げたまま隣の容器３，４に移動することができず、衝立６を回避するために、図２（ｂ）に示すように、身体を一旦起こしてから頭部を移動させることになる。その後、図２（ｃ）に示すように、愛玩動物１は、頭を下げた状態（図中手前側）で他方の容器３，４から餌を食べ、又は、飲み水を飲むことができる。
【００２１】
図５に示すように、従来の愛玩動物用給餌台２０では、衝立がないために、愛玩動物１０が頭部を二つの容器の上を最短で移動させるので、口の中に残っている餌や飲み水が隣の容器に落ちる可能性が高かった。
これに対し、本発明では、二つの容器３，４の間に衝立６があるため、愛玩動物１が一旦身体を起こして移動することとなり、隣の容器３，４に口の中から餌や飲み水が落ちる可能性が低くなる。
【００２２】
なお、図２においては、解放感を持たせるために、衝立６に、透明なアクリル板等による窓６ａを設けているが、この窓６ａは、中空ではないので、餌や飲み水が隣の容器３，４に混入するのを防止する役割を阻害するものではない。
図２（ａ）（ｂ）（ｃ）は側面図であるのに対し、図３（ａ）（ｂ）（ｃ）は上面図であるところ、図３（ａ）（ｂ）（ｃ）においても、愛玩動物１１に関して、移動中又は移動前後の状態を示している。
【００２３】
即ち、図３（ａ）に示すように、食事中の愛玩動物１１が頭を下げた状態で一方の容器３から餌を食べ、又は、飲み水を飲み、その後、頭部を下げたまま隣の容器４に移動することができず、衝立６を回避するために、図３（ｂ）に示すように、身体を一旦引いてから移動し、その後、図３（ｃ）に示すように、愛玩動物１１は、頭を下げた状態で他方の容器４から餌を食べ、又は、飲み水を飲むことができる。但し、図３中では、容器３，４中の餌又は飲み水は省略した。
なお、本実施例の愛玩動物用給餌台２は、二つの容器３，４を並べているので、図３に示すように、２匹の愛玩動物１１，１２に対して同時に給餌することも可能である。
【実施例２】
【００２４】
本発明の実施例２に係る愛玩動物用給餌台を図４に示す。
本実施例は、実施例１に比較し、二つの容器３，４の間における台本体５、即ち、天板５１に立設される衝立６１として、図４に示すように、台本体５よりも幅（図中左右方向）が大きいものを使用したものである。
更に、本実施例では、二つの容器３，４を乗せるためのお盆状の天板５１の四隅に、愛玩動物１が頭を下げた状態で無理なく餌を食べられ、水が飲めるように、愛玩動物１の背丈に合わせた高さを有する４本の脚部５２，５３，５４，５５を設けたものである。
本実施例のように、衝立６１が台本体５よりも幅が大きいため、愛玩動物１が頭部を一方の容器３，４から他方の容器３，４へ移動させるのに多くの時間がかかることとなり、餌や飲み水の混入をより一層防ぐことができる。
【産業上の利用可能性】
【００２５】
本発明は、愛玩動物に、餌や飲み水を与えるための愛玩動物用給餌台として広く産業上利用可能なものである。
【符号の説明】
【００２６】
１，１１，１２  愛玩動物
２  愛玩動物用給餌台
３，４  容器
５  台本体
５１  天板
５２，５３，５４，５５  脚部
６，６１  衝立
【図１】
0006780158.tif 000002
【図２】
0006780158.tif 000003
【図３】
0006780158.tif 000004
【図４】
0006780158.tif 000005
【図５】
0006780158.tif 000006